(57)【要約】      （修正有）【課題】被洗浄面に付着した際の洗浄剤の垂れ落ちを防止し、かつ、スプレー容器を構成する部材の隙間から洗浄剤が漏れ出すことを防止するトリガー式スプレー容器入りチキソトロピー性洗浄剤を提供する。【解決手段】トリガー式スプレー容器入りチキソトロピー性洗浄剤１は、洗浄剤２と、容器本体３と、トリガー式スプレーヤー４とから構成される。洗浄剤２は、層状珪酸塩と、塩化ナトリウムと、水とを撹拌混合したプレミックス剤と、合成洗剤と、水とを撹拌混合したチキソトロピー性洗浄剤である。容器本体３は、容器本体３内部に収容した洗浄剤２を視認し得る程度に透明性を有する材料から形成する。トリガー式スプレーヤー４は、容器本体３の上部に取り付けられており、チキソトロピー性洗浄剤２を被洗浄面に噴射する噴射機構５と噴射機構５を駆動するトリガー機構６とから構成される。【選択図】図１
0003151806.tif 000002
【実用新案登録請求の範囲】
【請求項１】
トリガー式スプレー容器入りチキソトロピー性洗浄剤であって、チキソトロピー性洗浄剤と、容器本体と、トリガー式スプレーヤーとからなり、該チキソトロピー性洗浄剤は、層状珪酸塩；２ないし３重量パーセントと、塩化ナトリウム；０．０２重量パーセントと、水；９６．９８ないし９７．９８重量パーセントとを撹拌混合したプレミックス剤；４０ないし４８重量パーセントと、合成洗剤；４重量パーセントと、水；４８ないし５６重量パーセントとを撹拌混合したチキソトロピー性洗浄剤であり、該容器本体は、該チキソトロピー性洗浄剤を内部に収容するための容器であり、該容器本体内部に収容された該チキソトロピー性洗浄剤を視認し得る程度に透明性を有する材料から形成され、該トリガー式スプレーヤーは、該容器本体上部に取り付けられており、該容器本体内部に収容された該チキソトロピー性洗浄剤を被洗浄面に噴射するための噴射機構と該噴射機構を駆動するためのトリガー機構とから構成されることを特徴とするトリガー式スプレー容器入りチキソトロピー性洗浄剤。
【請求項２】
請求項１に記載したトリガー式スプレー容器入りチキソトロピー性洗浄剤であって、該チキソトロピー性洗浄剤は、層状珪酸塩；２ないし３重量パーセントと、塩化ナトリウム；０．０２重量パーセントと、水；９６．９８ないし９７．９８重量パーセントとを撹拌混合したプレミックス剤；９６ないし９８重量パーセントと、合成洗剤；２ないし４重量パーセントとを撹拌混合したことを特徴とするトリガー式スプレー容器入りチキソトロピー性洗浄剤。
【考案の詳細な説明】
【技術分野】
【０００１】
本考案は、トリガー式スプレー容器入りチキソトロピー性洗浄剤に関し、被洗浄面に付着した際の該洗浄剤の垂れ落ちを防止することができ、かつ、使用者を驚愕させて清掃作業を楽しいものとすることができる洗浄剤に関する。
【背景技術】
【０００２】
従来、トリガー式スプレー容器等の噴霧器を用いて液体洗浄剤を被洗浄面に対して噴霧した場合、被洗浄面が垂直面、傾斜面、あるいは天井面であるときには、被洗浄面に付着させた液体洗浄剤が垂れ落ちて来てしまうため、被洗浄面に対する該液体洗浄剤の洗浄力を十分に発揮させることができないという問題があった。このような液体洗浄剤の垂れ落ちを防止するための簡便な手段としては、該液体洗浄剤を増粘させる手段が考えられるところではあるが、単に増粘させただけでは、該噴霧器の噴射口に詰まる等して該噴霧器から噴霧し難くなるという問題があった。
【０００３】
そこで、該噴霧器から洗浄剤を噴霧する際の高煎断速度域では低い粘性を有し、かつ、被洗浄面に付着させた際の低煎断速度域では高い粘性を有するチキソトロピー性洗浄剤が提案されているところである。ここで、チキソトロピー性を発揮させるための好適な材料としては、種々の粘土鉱物が使用されてきたところであるが、該チキソトロピー性洗浄剤として、例えば、膨潤性珪酸塩を使用した洗浄液（例えば、特許文献１参照。）、有機物による変性処理を施した無機粘土鉱物を使用した漂白剤組成物（例えば、特許文献２参照。）等が存在している。
【先行技術文献】
【特許文献】
【０００４】
【特許文献１】特開平１１−２６３９９８号公報
【特許文献２】特開２００１−１７２６８８号公報
【考案の概要】
【考案が解決しようとする課題】
【０００５】
しかしながら、上記の従来技術に係るチキソトロピー性洗浄剤は、被洗浄面に付着させた後に垂れ落ちて来ないようにするとともに、噴霧器から噴霧し易くするという実用面のみを重視しており、該洗浄剤が具備するチキソトロピー性を活かして、該洗浄剤の使用者を驚愕させ、もって、清掃作業を楽しいものにすることができるという面に着目して来なかったのである。本考案が解決しようとする第一の課題は、トリガー式スプレー容器入りチキソトロピー性洗浄剤につき、該洗浄剤の使用者を驚愕させることができ、もって、清掃作業を楽しいものにすることができる洗浄剤を提供することにある。
【０００６】
また、上記の従来技術に係るチキソトロピー性洗浄剤は、噴霧器内に収容されている静止状態にあっても高い流動性を有するため、使用者との接触をはじめとする何らかの要因で該噴霧器が転倒した場合にあっては、該噴霧器を構成する部材の隙間から該洗浄剤が漏れ出してしまう可能性があった。本考案が解決しようとする第二の課題は、トリガー式スプレー容器入りチキソトロピー性洗浄剤につき、該洗浄剤を収容するトリガー式スプレー容器が転倒した場合にあっても、該トリガー式スプレー容器を構成する部材の隙間から該洗浄剤が漏れ出すことを防止し得る洗浄剤を提供することにある。
【課題を解決するための手段】
【０００７】
本考案の第一の課題を解決するため、請求項１に係るトリガー式スプレー容器入りチキソトロピー性洗浄剤は、チキソトロピー性洗浄剤と、容器本体と、トリガー式スプレーヤーとからなる。該チキソトロピー性洗浄剤は、層状珪酸塩；２ないし３重量パーセントと、塩化ナトリウム；０．０２重量パーセントと、水；９６．９８ないし９７．９８重量パーセントとを撹拌混合したプレミックス剤；４０ないし４８重量パーセントと、合成洗剤；４重量パーセントと、水；４８ないし５６重量パーセントとを撹拌混合したチキソトロピー性洗浄剤である。該容器本体は、該チキソトロピー性洗浄剤を内部に収容するための容器であり、該容器本体内部に収容された該チキソトロピー性洗浄剤を視認し得る程度に透明性を有する材料から形成される。該トリガー式スプレーヤーは、該容器本体の上部に取り付けられており、該容器本体内部に収容された該チキソトロピー性洗浄剤を被洗浄面に噴射する噴射機構と該噴射機構を駆動するトリガー機構とから構成される。
【０００８】
本考案の第一及び第二の課題を解決するため、請求項２に係るトリガー式スプレー容器入りチキソトロピー性洗浄剤は、請求項１に記載したトリガー式スプレー容器入りチキソトロピー性洗浄剤であって、該チキソトロピー性洗浄剤は、層状珪酸塩；２ないし３重量パーセントと、塩化ナトリウム；０．０２重量パーセントと、水；９６．９８ないし９７．９８重量パーセントとを撹拌混合したプレミックス剤；９６ないし９８重量パーセントと、合成洗剤；２ないし４重量パーセントとを撹拌混合したことを特徴とする洗浄剤である。
【考案の効果】
【０００９】
請求項１に記載した本考案に係るトリガー式スプレー容器入りチキソトロピー性洗浄剤は、上記の通りの構成であるから、以下のような効果を奏することができる。
【００１０】
請求項１及び２に記載した洗浄剤は、低煎断速度域では薄片状結晶からなる層状珪酸塩が三次元の会合構造即ちカードハウス構造を形成しているために高い粘性を有する洗浄剤であるのに対して、高煎断速度域では該カードハウス構造が破壊されるために低い粘性を有する洗浄剤となるチキソトロピー性洗浄剤である。従って、該洗浄剤は、該洗浄剤を収容するトリガー式スプレー容器から噴霧する際の高煎断速度域では低い粘性を有する洗浄剤であるから、該トリガー式スプレー容器から困難なく噴霧することができる。一方、該洗浄剤は、被洗浄面に付着した際の低煎断速度域では高い粘性を有する洗浄剤であるから、被洗浄面に付着させた後に垂れ落ちて来ないようにすることができ、もって、該洗浄剤の被洗浄面に対する洗浄力を十分に発揮させることができる。更に、被洗浄面に付着した該洗浄剤を雑巾等で拭う際の高煎断速度域では再度低い粘性を有する洗浄剤となるから、使用者は雑巾等により被洗浄面に該洗浄剤を困難なく拭き広げることができる。
【００１１】
そして、請求項１に記載した洗浄剤は、該トリガー式スプレー容器内の静止状態では液体のような外観を呈するものの、被洗浄面に付着した際には垂れ落ちて来ない程度の粘性を有することにより、該洗浄剤の使用者に対して該洗浄剤があたかも粘性の低い洗浄剤から粘性の高い洗浄剤へと変化したように思わせることができるから、トリガー式スプレー容器入りチキソトロピー性洗浄剤につき、該洗浄剤の使用者を驚愕させることができ、もって、清掃作業を楽しいものにすることができる洗浄剤を提供するという本考案の第一の課題を解決することができる。
【００１２】
また、請求項２に記載した洗浄剤は、被洗浄面に付着した際には垂れ落ちて来ない程度の粘性を有するとともに、該洗浄剤を収容するトリガー式スプレー容器を揺動させても流動せず、更に、該トリガー式スプレー容器を上下に反転させても流動することがない程度の粘性を有するにも拘らず、トリガー式スプレーヤーから困難なく噴霧することができるため、トリガー式スプレー容器入りチキソトロピー性洗浄剤につき、使用者を驚愕させることができ、もって、清掃作業を楽しいものにすることができる洗浄剤を提供するという本考案の第一の課題を解決することができる。
【００１３】
更に、請求項２に記載した洗浄剤は、上記の通り、該洗浄剤を収容するトリガー式スプレー容器を上下に反転させても流動しない程度の粘性を有するため、トリガー式スプレー容器入りチキソトロピー性洗浄剤につき、該洗浄剤を収容するトリガー式スプレー容器が転倒した場合にあっても、該洗浄剤が該トリガー式スプレー容器を構成する部材の隙間から漏れ出すことを防止することができる洗浄剤を提供するという本考案の第二の課題を解決することができる。
【図面の簡単な説明】
【００１４】
【図１】本考案の実施例１及び２に係るトリガー式スプレー容器入りチキソトロピー性洗浄剤を示した側面図である。
【考案を実施するための形態】
【実施例１】
【００１５】
図１に記載した本考案の実施例１に係るトリガー式スプレー容器入りチキソトロピー性洗浄剤１は、洗浄剤２と、容器本体３と、トリガー式スプレーヤー４とから構成される。
【００１６】
洗浄剤２の作成方法は、下記の通りである。まず、層状珪酸塩とイオン交換水とを該分散液が透明になるまで３０分程度撹拌混合した後、該分散液に塩化ナトリウムを加えて更に５分程度撹拌混合してプレミックス剤を作成し、２４時間程度該プレミックス剤を放置して熟成させる。該プレミックス剤の配合割合は、それぞれ、層状珪酸塩；２ないし３重量パーセント、塩化ナトリウム；０．０２重量パーセント、イオン交換水；９６．９８ないし９７．９８重量パーセントである。
【００１７】
次に、該プレミックス剤と、合成洗剤と、イオン交換水とを撹拌混合することにより、洗浄剤２を作成する。上記のようにして作成された洗浄剤２の配合割合は、それぞれ、プレミックス剤；４０ないし４８重量パーセント、合成洗剤；４重量パーセント、イオン交換水；４８ないし５６重量パーセントである。
【００１８】
ここで、該層状珪酸塩としては、例えば、ロックウッド社製の多層合成珪酸塩であるラポナイト（ＬＡＰＯＮＩＴＥ）（登録商標）を用いることができ、合成洗剤としては合成界面活性剤を主たる成分とする公知の合成洗剤を用いることができる。また、水としては、上記のイオン交換水に限らず、例えば、蒸留水、脱イオン水等の他の精製水等を用いることも可能である。尚、上記の原材料の撹拌混合には、例えば、プロペラ式撹拌機、ホモミキサー、ホモディスパー等の公知の撹拌機を用いることができる。
【００１９】
容器本体３は、図１に図示するように、洗浄剤２を内部に収容するための容器であり、使用者が内部に収容された洗浄剤２を視認することができるように、例えば、透明プラスチック等の透明性を有する材料で形成する。
【００２０】
トリガー式スプレーヤー４は、図１に図示するように、容器本体３の頭部に着脱自在に取り付けられており、容器本体３の内部に収容された洗浄剤２を被洗浄面に霧状に噴射するための噴射機構５と噴射機構５を駆動するためのトリガー機構６とから構成される。
【００２１】
噴射機構５は、容器本体３の内部に収容された洗浄剤２を輸送する送出パイプ５ａと、送出パイプ５ａの端部に連結された吸入弁５ｂと、吸入弁５ｂに連結されたポンプ部５ｃと、ポンプ部５ｃに連結された吐出弁５ｄと、吐出弁５ｄから噴射口５ｆに伸びる発射パイプ５ｅと、発射パイプ５ｅの端部に取り付けられた噴射口５ｆとからなる。
【００２２】
トリガー機構６は、発射パイプ５ｅの下部に前後に揺動可能なように軸支されたトリガーレバー６ａと、トリガーレバー６ａとポンプ部５ｃとを連結するロッド６ｂと、トリガーレバー６ａを元の位置に復帰させる図示しないスプリングとからなる。
【００２３】
洗浄剤２は、容器本体３内部に収容されている低煎断速度域の状態にあっては、高い粘性を有する洗浄剤であるものの流動性の高い液体のような外観を呈しており、また、容器本体３は、透明性を有する材料で形成されているから、トリガー式スプレー容器入りチキソトロピー性洗浄剤１は、使用者に、洗浄剤２が流動性の高い液体であるかのように思わせることができる。
【００２４】
使用者がトリガーレバー６ａを手前に引くと、ロッド６ｂはトリガーレバー６ａと連動して手前に押し込まれることによりポンプ部５ｃを圧縮し、ポンプ部５ｃ内の洗浄剤２を加圧する。加圧された洗浄剤２は、吐出弁５ｄから発射パイプ５ｅに圧送されるとともに、図示しない空気孔から吹き込まれる空気と混合され、噴射口５ｆから噴射される。洗浄剤２は、当該噴射する際の高煎断速度域の状態にあっては、低い粘性を有する洗浄剤となるから、噴射口５ｆから困難なく噴射することができる。
【００２５】
洗浄剤２は、被洗浄面に付着した際には、再度低煎断速度域となり高い粘性を有する洗浄剤となるから、垂れ落ちて来ることがないため、該洗浄剤の被洗浄面に対する洗浄力を十分に発揮させることができる。同時に、洗浄剤２は、使用者に対して、洗浄剤２があたかも粘性の低い洗浄剤から粘性の高い洗浄剤へと変化したように思わせて驚愕させることができ、もって、清掃作業を楽しいものにすることができるのである。
【００２６】
更に、被洗浄面に付着した洗浄剤２は、使用者が雑巾等で拭う際には、再度高煎断速度域となり低い粘性を有する洗浄剤となるから、使用者は被洗浄面に洗浄剤２を困難なく拭き広げることができる。
【００２７】
以上が、本考案に係るトリガー式スプレー容器入りチキソトロピー性洗浄剤の実施例１についての説明である。
【実施例２】
【００２８】
次に、本考案に係るトリガー式スプレー容器入りチキソトロピー性洗浄剤の実施例２について添付図面に基づいて以下に説明する。尚、実施例２は、下記の事項以外、前記の実施例１と同一である。
【００２９】
実施例２に係る洗浄剤２の作成方法は、下記の通りである。まず、層状珪酸塩とイオン交換水とを該分散液が透明になるまで３０分程度撹拌混合した後、該分散液に塩化ナトリウムを加えて更に５分程度撹拌混合してプレミックス剤を作成し、２４時間程度該プレミックス剤を放置して熟成させる。該プレミックス剤の配合割合は、それぞれ、層状珪酸塩；２ないし３重量パーセント、塩化ナトリウム；０．０２重量パーセント、イオン交換水；９６．９８ないし９７．９８重量パーセントである。
【００３０】
次に、該プレミックス剤を、合成洗剤と撹拌混合することにより、洗浄剤２を作成する。このようにして作成された洗浄剤２の配合割合は、それぞれ、プレミックス剤；９６ないし９８重量パーセント、合成洗剤；２ないし４重量パーセントである。
【００３１】
実施例２に係る洗浄剤２は、低煎断速度域では洗浄剤２を収容する容器本体３を上下に反転させても流動しない程度の高い粘性を有するため、容器本体３を転倒させても、容器本体３とトリガー式スプレーヤー４との隙間から漏れ出ることがない。同時に、洗浄剤２は、上記のような粘性を有しているにも拘らず、トリガー式スプレーヤー４から噴霧する際の高煎断速度域では低い粘性を有するところ、トリガー式スプレーヤー４から困難なく噴霧することができるため、使用者を驚愕させることができ、もって、清掃作業を楽しいものにすることができるのである。
【符号の説明】
【００３２】
１  トリガー式スプレー容器入りチキソトロピー性洗浄剤
２  洗浄剤
３  容器本体
４  トリガー式スプレーヤー
５  噴射機構
５ａ  送出パイプ
５ｂ  吸入弁
５ｃ  ポンプ部
５ｄ  吐出弁
５ｅ  発射パイプ
５ｆ  噴射口
６  トリガー機構
６ａ  トリガーレバー
６ｂ  ロッド
【図１】
0003151806.tif 000003
【手続補正書】
【提出日】平成21年5月1日(2009.5.1)
【手続補正１】
【補正対象書類名】実用新案登録請求の範囲
【補正対象項目名】請求項２
【補正方法】変更
【補正の内容】
【請求項２】
トリガー式スプレー容器入りチキソトロピー性洗浄剤であって、チキソトロピー性洗浄剤と、容器本体と、トリガー式スプレーヤーとからなり、該チキソトロピー性洗浄剤は、層状珪酸塩；２ないし３重量パーセントと、塩化ナトリウム；０．０２重量パーセントと、水；９６．９８ないし９７．９８重量パーセントとを撹拌混合したプレミックス剤；９６ないし９８重量パーセントと、合成洗剤；２ないし４重量パーセントとを撹拌混合したチキソトロピー性洗浄剤であり、該容器本体は、該チキソトロピー性洗浄剤を内部に収容するための容器であり、該容器本体内部に収容された該チキソトロピー性洗浄剤を視認し得る程度に透明性を有する材料から形成され、該トリガー式スプレーヤーは、該容器本体上部に取り付けられており、該容器本体内部に収容された該チキソトロピー性洗浄剤を被洗浄面に噴射するための噴射機構と該噴射機構を駆動するためのトリガー機構とから構成されることを特徴とするトリガー式スプレー容器入りチキソトロピー性洗浄剤。
【手続補正２】
【補正対象書類名】明細書
【補正対象項目名】０００８
【補正方法】変更
【補正の内容】
【０００８】
本考案の第一及び第二の課題を解決するため、請求項２に係るトリガー式スプレー容器入りチキソトロピー性洗浄剤は、チキソトロピー性洗浄剤と、容器本体と、トリガー式スプレーヤーとからなる。該チキソトロピー性洗浄剤は、層状珪酸塩；２ないし３重量パーセントと、塩化ナトリウム；０．０２重量パーセントと、水；９６．９８ないし９７．９８重量パーセントとを撹拌混合したプレミックス剤；９６ないし９８重量パーセントと、合成洗剤；２ないし４重量パーセントとを撹拌混合したことを特徴とする洗浄剤である。該容器本体は、該チキソトロピー性洗浄剤を内部に収容するための容器であり、該容器本体内部に収容された該チキソトロピー性洗浄剤を視認し得る程度に透明性を有する材料から形成される。該トリガー式スプレーヤーは、該容器本体の上部に取り付けられており、該容器本体内部に収容された該チキソトロピー性洗浄剤を被洗浄面に噴射する噴射機構と該噴射機構を駆動するトリガー機構とから構成される。